(57)【要約】【課題】連結状態では衣類等を過剰に密着させずに掛けることができ、単独で使用する場合等は皺を生じることなく掛止桟にズボンなどを掛けることができ、不使用時には複数のハンガーを互いに重ね合わせてコンパクトに収納できるようにする。【解決手段】剛性材料からなる本体部(２)と、本体部(２)の中央部に上方へ突設したフック(３)と、本体部(２)の両端間に横架した剛性材料からなる掛止桟(４)とを備える。掛止桟(４)の中央部に他のハンガー(１)のフック(３)を係止できる係止部(５)を備える。係止部(５)を、掛止桟(４)の上端面よりも下方で、掛止桟(４)を含む垂直面上に形成する。係止部(５)に挿通部(６)を形成し、この挿通部(６)に他のハンガー(１)のフック(３)を上記の垂直面と交差する状態に挿通する。【選択図】図１
2010227463.tif 000002
【特許請求の範囲】
【請求項１】
剛性材料からなる本体部(２)と、この本体部(２)の中央部に上方へ突設したフック(３)と、上記の本体部(２)の下方でその本体部(２)の両端間に横架した剛性材料からなる掛止桟(４)とを備え、
上記の掛止桟(４)の中央部に他のハンガー(１)のフック(３)を係止できる係止部(５)を備えたハンガーであって、
上記の係止部(５)は、上記の掛止桟(４)の上端面よりも下方で、この掛止桟(４)を含む垂直面(11)上に形成され、上記の他のハンガー(１)のフック(３)をこの垂直面(11)と交差する状態に挿通できる挿通部(６)が、この係止部(５)に形成してあることを特徴とする、ハンガー。
【請求項２】
上記の挿通部(６)は、上記の掛止桟(４)に設けた透孔である、請求項１に記載のハンガー。
【請求項３】
上記の挿通部(６)は、上記の掛止桟(４)の上端面に設けた凹部である、請求項１に記載のハンガー。
【請求項４】
上記の係止部(５)は、上記の掛止桟(４)の下端面よりも上方に形成してある、請求項１から３のいずれか１項に記載のハンガー。
【請求項５】
上記の掛止桟(４)のうち上記の係止部(５)の両側に、それぞれ１または複数の追加の係止部(７)を同じ数だけ設けた、請求項１から４のいずれか１項に記載のハンガー。
【請求項６】
上記のフック(３)は、上記の本体部(２)に対し水平方向へ回動可能に設けてある、請求項１から５のいずれか１項に記載のハンガー。
【発明の詳細な説明】
【技術分野】
【０００１】
本発明は、衣類やタオル等を掛けるハンガーであって、垂直方向へ連結することにより平面視で狭いスペース内に複数のハンガーを吊下げできるハンガーに関し、さらに詳しくは、連結状態では衣類等を過剰に密着させずに掛けることができるうえ、単独で使用する場合等は皺を生じることなく掛止桟にズボンやタオルなどを掛けることができ、しかも、不使用時には複数のハンガーを互いに重ね合わせてコンパクトに収納できる、ハンガーに関する。
【背景技術】
【０００２】
衣類などを掛けるハンガーは、一般に、弓状等に形成した本体部の中央部にフックを上方へ突設してあり、この本体部の下方に掛止桟を本体部両端間に横架してある。上記の本体部は上着等を型崩れしないように掛けるため、また上記の掛止桟はズボン等を皺が生じないように掛けるため、いずれも木材や硬質合成樹脂材料、金属材料などの、剛性材料で形成される。
【０００３】
従来、平面視でより狭いスペースに多くの衣類を収納するため、例えば上記のフックの基部に他のハンガーのフックを係止できるように構成して、これらのハンガーを上下方向へ複数連結できるように構成したものがある(例えば特許文献１参照、以下、従来技術１という。)。しかしこの従来技術１では、他のハンガーを係止する部位の下方に本体部や掛止桟があることから、その係止した他のハンガーはこれらと干渉して垂直方向には連結できず、斜め下方に連結される。この結果、この従来技術１では平面視で広いスペースが必要となるうえ、連結したハンガー同士が本体部の前後で重なるため、衣類同士が過剰に密着して洗濯物が乾燥し難い問題や、衣類に型崩れや皺を生じる問題がある。
【０００４】
これに対し、ハンガー同士を前後に重ねることなく、垂直方向へ連結できるハンガーとして、上記の掛止桟の中央部に係止部を設けて、この係止部に他のハンガーを係止させるものが提案されている(例えば特許文献２参照、以下、従来技術２という。)。即ち、この従来技術２では、他のハンガーを係止するためのフックリング部を、ハンガー形成面と直角に交差させて上記の掛止桟に設けてある。これによりこの従来技術２では、狭いスペース内に複数のハンガーを吊り下げることができ、しかも、衣類等を過剰に密着させずに複数のハンガーを連結させることができる。
【先行技術文献】
【特許文献】
【０００５】
【特許文献１】特開２００５−２７０５８７号公報
【特許文献２】実開昭６０−０７７４７８号公報
【発明の概要】
【発明が解決しようとする課題】
【０００６】
しかしながら、上記の従来技術２では、上記のフックリング部を掛止桟と直交させてその掛止桟に設けているため、このハンガーを単独で使用する場合や最下段に使用する場合であっても、この掛止桟にズボンやタオル等を掛けると、出っ張ったフックリング部で引き攣れてそのズボン等に皺を生じる問題がある。しかもフックリング部が出っ張った状態となっているため、不使用時にハンガーを互いに重ね合わせることができず、このハンガーをコンパクトに収納できない問題もある。
【０００７】
本発明の技術的課題は上記の問題点を解消し、連結状態では衣類等を過剰に密着させずに掛けることができるうえ、単独で使用する場合等は皺を生じることなく掛止桟にズボンやタオルなどを掛けることができ、しかも、不使用時には複数のハンガーを互いに重ね合わせてコンパクトに収納できる、ハンガーを提供することにある。
【課題を解決するための手段】
【０００８】
本発明は上記の課題を解決するために、例えば、本発明の実施の形態を示す図１から図７に基づいて説明すると、次のように構成したものである。
即ち本発明は、剛性材料からなる本体部(２)と、この本体部(２)の中央部に上方へ突設したフック(３)と、上記の本体部(２)の下方でその本体部(２)の両端間に横架した剛性材料からなる掛止桟(４)とを備え、上記の掛止桟(４)の中央部に他のハンガー(１)のフック(３)を係止できる係止部(５)を備えたハンガーであって、上記の係止部(５)は、上記の掛止桟(４)の上端面よりも下方で、この掛止桟(４)を含む垂直面(11)上に形成され、上記の他のハンガー(１)のフック(３)をこの垂直面(11)と交差する状態に挿通できる挿通部(６)が、この係止部(５)に形成してあることを特徴とする。
【０００９】
上記の係止部は上記の掛止桟に形成してあるので、本体部や掛止桟とは干渉することなくこの係止部に他のハンガーが係止され、それぞれ衣類等を掛けた複数のハンガーが垂直面内に吊り下げられる。このとき、互いに連結されたハンガー同士は、本体部から掛止桟までの寸法を隔てて配置される。
【００１０】
上記の係止部は、上記の掛止桟の上端面よりも下方で、この掛止桟を含む垂直面上に形成されるので、上記の互いに連結したハンガーのうちの最下段に使用される場合や、単独で使用される場合のように、上記の係止部に他のハンガーのフックを係止していない場合には、上記の掛止桟の上方と前後の両側方に突出部が形成されていない。この結果、この掛止桟に掛けられたズボンやタオルなどは、突出部で引き攣れることが無く、皺を生じる虞がない。
【００１１】
また上記の係止部は、上記の掛止桟を含む垂直面上に形成してあり、ハンガーの前後の側方に突出部が形成されないことから、不使用時には複数のハンガーが互いに重ね合わせてコンパクトに収納される。
【００１２】
上記の本体部や掛止桟を形成する剛性材料は、特性の材料に限定されず、例えば木材や硬質合成樹脂材料、金属材料など、衣類等を掛けた状態で複数連結しても容易に変形しない程度以上の剛性を備えた、任意の単一の材料または複数の材料を組み合わせて形成される。また上記の本体部と掛止桟とは、両者を同じ材料で形成してもよく、互いに異なる材料で形成しても良い。なお、この本体部と掛止桟とは、一体に形成したものであってもよく、別体に形成したものであってもよい。さらに別体に形成した場合は、互いに移動可能や着脱可能に形成したものであってもよい。
【００１３】
上記の挿通部は、特定の形状や構造のものに限定されず、具体的には、上記の掛止桟に設けた透孔や、掛止桟の上端面に設けた凹部で構成することができる。例えば上記の掛止桟が針金からなる場合、その掛止桟の中央部を湾曲させて、掛止桟の上端面に凹部からなる係止部を形成してもよい。ただしこの場合、その係止部が上記の掛止桟の下端面よりも下方に突出するので、不使用時にこのハンガーを床面や棚面上に立てて収納すると安定性に欠ける。これに対し、例えば上記の挿通部を掛止桟に設けた透孔で構成した場合など、上記の係止部を、上記の掛止桟の下端面よりも上方に形成してあると、不使用時にこのハンガーを床面や棚面上に安定よく立てて収納でき、好ましい。
【００１４】
上記の掛止桟には、上記の係止部以外に、追加の係止部を設けてもよい。この場合、その追加の係止部は、上記の係止部の両側にそれぞれ１又は複数、同じ数だけ設けられる。これにより、複数の他のハンガーを各係止部へ左右バランス良く係止でき、一層、多くのハンガーを狭いスペースに吊り下げることができる。なお上記の掛止桟には、上記の係止部以外に洗濯バサミやズボン等の滑り止めなど、他の部品を追加してもよい。
【００１５】
上記のフックは、不使用時のハンガーを平面状に収納できるように、本体部と同じ方向へ向けてあることが多い。一方、このフックは掛止桟と交差する方向に上記の挿通部へ挿通される。このため上記のフックは、上記の本体部に対し水平方向へ回動可能に設けてあると好ましい。この場合、フックが針金などで形成してあると、このフックを捻ることで回動させてもよい。しかしこのフックを水平方向へ回動自在に本体部へ付設してあると、このフックの向きを容易に変更できて一層好ましい。
【発明の効果】
【００１６】
本発明は上記のように構成され作用することから、次の効果を奏する。
【００１７】
(１)上記の係止部は上記の掛止桟に形成してあるので、本体部や掛止桟とは干渉することなく他のハンガーを連結でき、衣類等を掛けた複数のハンガーを垂直面内に吊り下げできる。しかも互いに連結されたハンガー同士は、本体部から掛止桟までの寸法を隔てて配置されるので、連結状態では衣類等を過剰に密着させずに掛けることができる。
【００１８】
(２)互いに連結したハンガーのうちの最下段に使用される場合や、単独で使用される場合など、上記の係止部に他のハンガーのフックを係止していない場合には、上記の掛止桟の上方と前後の両側方に突出部が形成されないので、皺を生じることなく掛止桟にズボンやタオルなどを掛けることができる。
【００１９】
(３)上記の係止部は掛止桟を含む垂直面上に形成してあり、ハンガーの前後の側方に突出部が形成されないことから、不使用時には複数のハンガーを互いに重ね合わせてコンパクトに収納することができる。
【図面の簡単な説明】
【００２０】
【図１】本発明の第１実施形態を示す、連結状態のハンガーの正面図である。
【図２】第１実施形態の、ハンガーの中央部での縦断側面図である。
【図３】第１実施形態の不使用時の収納状態を示す、ハンガーの斜視図である。
【図４】本発明の第２実施形態を示す、ハンガーの正面図である。
【図５】本発明の第３実施形態を示す、ハンガーの正面図である。
【図６】本発明のハンガーの変形例を示し、図６(ａ)は変形例１の係止部近傍の拡大正面図、図６(ｂ)は変形例２の係止部近傍の拡大正面図、図６(ｃ)は変形例３の係止部近傍の拡大正面図、図６(ｄ)は変形例４の係止部近傍の拡大斜視図である。
【図７】本発明の第４実施形態を示す、ハンガーの正面図である。
【発明を実施するための形態】
【００２１】
以下、本発明の実施の形態を図面に基づき説明する。
図１に示すように、このハンガー(１)は中央部が上方へ湾曲した、木材等の剛性材料からなる本体部(２)を備え、この本体部(２)の中央部にフック(３)が上方へ突設してある。このフック(３)は、例えば金属材料で形成され、図２に示すように、軸部(3a)が水平方向へ回動自在に本体部(２)へ上下に貫通させてある。
【００２２】
図１に示すように、上記の本体部(２)の下方には、この本体部(２)の両端間に剛性材料からなる掛止桟(４)が横架して固定してある。この掛止桟(４)には、中央部に、即ち上記のフック(３)の真下に、係止部(５)が設けてある。この係止部(５)は、透孔からなる挿通部(６)を備えており、上記の掛止桟(４)の上端面と下端面との間で、この掛止桟(４)を含む垂直面上に形成されている。そして図２に示すように、上記の挿通部(６)に他のハンガー(１)のフック(３)が、上記の垂直面(11)と交差する状態に挿通される。
【００２３】
上記の掛止桟(４)には、上記の係止部(５)の両側に追加の係止部(７)が１個ずつ設けてある。この追加の係止部(７)は、上記の係止部(５)と同様の挿通部(８)を備えている。なお、この実施形態では左右にそれぞれ１個の追加の係止部(７)を設けたが、本発明では、係止部(５)の左右に、それぞれ２個ずつなど、複数の追加の係止部(７)を同じ数だけ設けてもよく、あるいはこの追加の係止部(７)を省略してもよい。
【００２４】
次に、上記のハンガーの使用方法について説明する。
図１に示すように、上記のハンガー(１)には本体部(２)に衣類(９)が掛けてあり、このハンガー(１)の掛止桟(４)に形成された上記の挿通部(６)に、他のハンガー(１)のフック(３)がその向きを調整して挿通される。これによりこの掛止桟(４)に設けた上記の係止部(５)に他のハンガー(１)のフック(３)が係止され、ハンガー(１)同士が垂直方向に連結される。この他のハンガー(１)の本体部(２)にも他の衣類(９)が掛けてあり、最上段のハンガー(１)のフック(３)をハンガー掛け(10)に掛けることにより、１つのハンガー掛け(10)に複数のハンガー(１)が、それぞれ衣類(９)を掛けた状態で垂直面内に吊下げられる。
【００２５】
このとき各ハンガー(１)同士は、垂直方向へ適度の間隔を隔てて連結されているので、上記の各衣類(９)は互いに密着し過ぎずに、それぞれのハンガー(１)に掛けられている。また最下段のハンガー(１)には、上記の掛止桟(４)に突出部位が無く、他のハンガー(１)のフック(３)が係止されていないので、この掛止桟(４)にズボンなどの衣類(９)が、皺を生じることなく掛けてある。なお、上記の各衣類(９)は、ハンガー(１)同士を連結する前と連結した後とのいずれに本体部(２)や掛止桟(４)へ掛けてもよい。
【００２６】
上記の係止部(５)は掛止桟(４)から突出していないので、上記のハンガー(１)を使用しない場合は、図３に示すように、複数が互いに重ね合わされてコンパクトに収納される。このとき、上記の係止部(５)は上記の掛止桟(４)の下端面よりも上方に形成してあるので、これらのハンガー(１)は、床面や棚面上に安定よく立てて収納される。
【００２７】
なお上記の説明は、それぞれ衣類(９)が掛けられたハンガー(１)を垂直面内に吊下げる場合について説明した。しかし上記の第１実施形態では、上記の掛止桟(４)に複数の追加の係止部(７)を設けてあるので、それらの追加の係止部(７)の挿通部(８)へも他のハンガー(１)のフック(３)を挿通することができ、これによりさらに多くのハンガーを狭いスペースに吊下げることができる。
【００２８】
上記の第１実施形態では、上記の挿通部を透孔で構成した。しかし本発明では他の形状や構造の挿通部でもよい。例えば図４に示す第２実施形態では、掛止桟(４)の上端面に形成した凹部で挿通部(６)を形成してある。この係止部(５)の両側には、それぞれ追加の係止部(７)が設けてあるが、これらの追加の係止部(７)の数は限定されず、省略することも可能である。なお上記の凹部は、掛止桟(４)の周面へ環状に設けてもよい。その他の構成は上記の第１実施形態と同様であり、同様に作用するので説明を省略する。
【００２９】
図５は本発明の第３実施形態を示すハンガーの正面図である。この第３実施形態のハンガー(１)は、本体部(２)とフック(３)と掛止桟(４)とが針金で形成されており、この掛止桟(４)の中央部を下方へ湾曲させて係止部(５)が設けてある。この係止部(５)の上面に凹部からなる挿通部(６)が形成されている。この係止部(５)の両側には、その係止部(５)と同形状の追加の係止部(７)が設けてあり、それぞれ挿通部(８)が形成してある。この第３実施形態においても、追加の係止部(７)の数は限定されず、省略することも可能である。その他の構成は上記の第１実施形態と同様であり、同様に作用するので説明を省略する。
【００３０】
上記の係止部は、さらに図６に示す変形例のように構成することも可能である。
即ち、図６(ａ)に示す変形例１は、掛止桟(４)の中央部からフック状の係止部(５)を下方へ突設してあり、この係止部(５)の内周面に挿通部(６)が形成してある。
図６(ｂ)に示す変形例２は、掛止桟(４)の中央部下端面に係止部(５)を膨出させて設けてあり、この係止部(５)に透孔からなる挿通部(６)が形成してある。
図６(ｃ)に示す変形例３は、掛止桟(４)が針金で形成してあり、その中央部を下方へ曲げて捻り合わせ、環状の係止部(５)を設けてその中央に透孔からなる挿通部(６)が形成してある。
図６(ｄ)に示す変形例では、断面が円形の掛止桟(４)の中央部を包み込む状態に、二つ折した板状の係止部(５)が、上記の掛止桟(４)の軸心周りへ回動可能に付設してあり、この係止部(５)に透孔からなる挿通部(６)が形成してある。
【００３１】
上記の各実施形態では、衣類を掛け易いように本体部(２)を弓状に湾曲させてある場合について説明した。しかし本発明では、図７に示す第４実施形態のように、他の形状のものであってもよい。
【００３２】
即ちこの第４実施形態のハンガー(１)は、例えばタオル用ハンガーなどに用いられ、本体部(２)と掛止桟(４)とで矩形の枠体に形成してある。本体部(２)の中央から上方にフック(３)が突設してあり、このフック(３)と同じ形状の係止部(５)が掛止桟(４)の中央から下方に突設してある。そして少なくともこのフック(３)は本体部(２)に対し水平方向へ回動自在に構成してある。上記の係止部(５)は上記の掛止桟(４)から離隔しているので、この係止部(５)に他のハンガー(１)のフック(３)を係止した場合でも、上記の掛止桟(４)へタオルを、皺の発生を抑制しながら掛けることができる。その他の構成は上記の第１実施形態と同様であり、同様に作用するので説明を省略する。
【００３３】
上記の各実施形態で説明したハンガーは、本発明の技術的思想を具体化するために例示したものであり、各部の形状や構造、寸法、材質などをこの実施形態のものに限定するものではなく、本発明の特許請求の範囲内において種々の変更を加え得るものである。
【００３４】
例えば、上記の各実施形態では、上記の追加の係止部を上記の係止部と同じ構造に構成した。しかし本発明では、この追加の係止部を、上記の係止部と異なる構造に形成してもよい。また上記の各実施形態では、掛止桟を本体部へ固定した場合について説明した。しかし本発明では、この掛止桟を本体部へ移動可能に取り付けてもよく、或いは着脱可能に固定してもよい。またこれらの本体部や掛止桟は、例えば硬質合成樹脂材料で一体成形するなど、木材以外の剛性材料を用いたり、複数の剛性材料を組み合わせて形成したりしてもよい。各部は、一部または全部を無色透明にしたり、任意の単一色や複数色に着色したりしてもよく、任意の模様を形成してもよい。さらに上記のハンガーへ掛けるものは、衣類やタオルなどに限定されないことは言うまでもない。
【産業上の利用可能性】
【００３５】
本発明のハンガーは、連結状態では衣類等を過剰に密着させずに掛けることができるうえ、単独で使用する場合等は皺を生じることなく掛止桟にズボンやタオルなどを掛けることができ、しかも、不使用時には複数のハンガーを互いに重ね合わせてコンパクトに収納できるので、特に衣類やタオル類などのハンガーに好適であるが、他の物品のハンガーにも好適である。
【符号の説明】
【００３６】
１…ハンガー
２…本体部
３…フック
４…掛止桟
５…係止部
６…挿通部
７…追加の係止部
11…垂直面
【図１】
2010227463.tif 000003
【図２】
2010227463.tif 000004
【図３】
2010227463.tif 000005
【図４】
2010227463.tif 000006
【図５】
2010227463.tif 000007
【図６】
2010227463.tif 000008
【図７】
2010227463.tif 000009